(57)【要約】【課題】後日、乱丁の存在が判明したときに、乱丁の原因究明作業の負担を軽減するコストパフォーマンスに優れた簡便な乱丁検査システムを提供する。【解決手段】各乱丁検査装置２０による検査結果は、照合手段２２ｂ−２により照合した適正な携帯型メモリ２２ｂ−１にそれぞれ記憶保存するが、被検査画像については基準画像との相関値が所定の相関値以下と判定されたもののみ保存する。該携帯型メモリ２２ｂ−１に記憶された該被検査画像を含む検査結果は、乱丁検査装置２０とはオフラインとされている検査情報管理装置４０上で読み取られ、そこで乱丁要因が分析される。  【選択図】図５
2010188653.tif 000002
【特許請求の範囲】
【請求項１】
折り丁を撮像する撮像手段と、前記撮像手段によって撮像された折り丁の被検査画像を含む検査情報を記憶する検査情報記憶手段とを有する乱丁検査装置が、丁合装置の多数の丁合駒のそれぞれに設けられるとともに、前記検査情報を管理する検査情報管理装置が前記乱丁検査装置とはオフラインで設けられている乱丁検査システムであって、
前記検査情報記憶手段は、携帯型メモリを有し、共通する標準時刻による各丁合駒の稼働情報を、前記検査情報として前記被検査画像に連関させて前記携帯型メモリに記憶するものであり、
前記検査情報管理装置は、前記携帯型メモリに記憶された前記検査情報を読み出し、前記多数の丁合駒からなる丁合装置の乱丁検査情報を管理するものであることを特徴とする乱丁検査システム。  
【請求項２】
請求項１において、前記乱丁検査装置は、前記被検査画像を前記検査情報記憶手段に記憶すべきか否かを決定する記憶保持決定手段、前記被検査画像と基準画像の相関値を検出する相関値検出手段、及び検出された相関値が所定数に区分された相関値の如何なる区分に属するかを判定する相関値区分判定手段を更に有し、前記相関値区分判定手段による判定結果に基づいて前記記憶保持決定手段が前記被検査画像の記憶保持を決定することを特徴とする乱丁検査システム。
【請求項３】
請求項２において、前記乱丁検査装置は、前記相関値検出手段にて検出された、所定数の被検査画像と基準画像との相関値をサンプルとし、当該サンプル中でコンプリート判定ライン以下の区分であると相関値区分判定手段にて判定された被検査折り丁の総数を演算し、当該被検査折り丁の総数を前記サンプル数にて除した値を相関不安定度として求め、当該相関不安定度の大小に応じて、前記コンプリート判定ラインとして設定されている相関値を変更して新たなコンプリート判定ラインを設定し、当該コンプリート判定ライン以上の相関値区分であると判定された被検査画像については記憶保持決定手段により記憶保存しないと決定することを特徴とする乱丁検査システム。  
【請求項４】
請求項３において、前記相関値区分判定手段が、コンプリート判定ライン以上の相関値範囲であるコンプリート判定範囲、合否判定ライン以下の相関値範囲である不合格判定範囲、及び前記コンプリート判定ラインと合否判定ラインの間の相関値範囲である境界判定範囲の３区分を判定可能としたことを特徴とする乱丁検査システム。  
【請求項５】
請求項４において、前記相関値区分判定手段が、境界判定範囲をさらに複数に分割区分した範囲を判定可能である乱丁検査システム。  
【請求項６】
請求項１ないし５において、前記検査情報管理装置は、前記携帯型メモリに初期化情報としてぞれぞれの丁合装置に固有の識別情報を書き込む初期化情報書込手段を有しており、前記乱丁検査装置は、前記携帯型メモリに書き込まれた前記識別情報を照合する照合手段を有し、前記照合手段の照合結果により前記検査情報を記憶するか否かを決定することを特徴とする乱丁検査システム。
【請求項７】
請求項１ないし６において、前記検査情報記憶手段は、前記検査情報として、前記標準時刻に基づく検査日時、ロットナンバー、丁合駒ナンバー、及び丁合装置ラインナンバー等の前記丁合装置の稼働情報を記憶すること特徴とする乱丁検査システム。
【発明の詳細な説明】
【技術分野】
【０００１】
本願発明は，製本機の丁合作業における乱丁を検査する検査システムに関する。 
【背景技術】
【０００２】
一般に、製本装置における丁合工程は、折り丁が積層収納される折り丁収納手段と当該折り丁収納手段から折り丁を１部ずつ取り出して搬送ラインに落下させる取出、落下手段とから構成される丁合駒を、ページ順に複数１方向に配列し、当該丁合駒から落下された折り丁が搬送され、搬送されて行くに従いページ順に積層された状態となるように構成されている。  
【０００３】
当該丁合工程における各折り丁収納手段には、ページ順等、所定の配列順序のとおりに適正に折り丁が収納されなければならない。  
しかしながら、当該収納手段に配列順序と異なる折り丁や、天地が逆向きの折り丁が収納されると、製本後に乱丁が生じてしまうこととなる。  
そこで、このような乱丁の発生を防止するために、従来、収納手段に折り丁が適正に載置されているか否かを検査する乱丁検査装置が設けられている。  
【０００４】
当該乱丁検査装置は、丁合駒毎に配置され、収納手段に積層された折り丁が取り出されて搬送ラインに落下する間に、カメラ等の撮像手段にて当該折り丁の画像（以下「被検査画像」という）を取得し、当該収納手段に本来載置される適正な折り丁の画像（以下「基準画像」という）と当該被検査画像とを比較し、両者が一致しない場合には警告する機能を有する装置である。  
【０００５】
また、このように丁合駒毎に撮像された被検査画像は、後日、乱丁の存在が判明したとき、当該乱丁の原因を究明するために、各乱丁検査装置とオンラインで結ばれたデータサーバにまとめて記憶保存されていた。  
【特許文献１】特開２００６−１０３１８８号公報
【発明の概要】
【発明が解決しようとする課題】
【０００６】
しかしながら、このようなデータサーバを用いたオンラインでのネットワークシステムは、少数駒からなる製本ラインや、そもそも製本ライン数の少ないシステムでは、コストが高く不向きであった。
また、製本後の乱丁は、その判明迄に、出荷後数週間〜数ヶ月要し、その間他の製本も出荷されるものであるから、このようなネットワークを構築して乱丁の原因究明のために被検査画像を全て記憶保存させておくことは、高性能のデータサーバや膨大なメモリを要し、コストアップの原因となっていた。
【０００７】
さらに、このように全ての被検査画像を記憶保存していることから、乱丁の原因を究明する際に、明らかにチェック対象から除外して良い被検査画像が存在するにも拘わらず全ての被検査画像をチェックしなければならず、多大なチェック作業を要することとなってしまい、乱丁の原因となった折り丁を短期間に特定することは困難であった。
【０００８】
したがって、少数駒からなる製本ラインや、そもそも製本ライン数の少ないシステムにおいても、コストパフォーマンスに優れ、しかも、後日、乱丁の存在が判明したときに、乱丁が発生した原因究明作業の負担を軽減することのできる乱丁検査システムが必要になっている。  
【課題を解決するための手段】
【０００９】
このため、本発明は、折り丁を撮像する撮像手段と、前記撮像手段によって撮像された折り丁の被検査画像を含む検査情報を記憶する検査情報記憶手段とを有する乱丁検査装置が、丁合装置の多数の丁合駒のそれぞれに設けられるとともに、前記検査情報を管理する検査情報管理装置が前記乱丁検査装置とはオフラインで設けられている乱丁検査システムであって、前記検査情報記憶手段は、携帯型メモリを有し、共通する標準時刻による各丁合駒の稼働情報を、前記検査情報として前記被検査画像に連関させて前記携帯型メモリに記憶するものであり、前記検査情報管理装置は、前記携帯型メモリに記憶された前記検査情報を読み出し、前記多数の丁合駒からなる丁合装置の乱丁検査情報を管理するものであることを特徴とする乱丁検査システム、として構成される。
このように構成したことにより、オンラインで結ばれた外部のデータサーバを必要とせず、しかも全ての検査情報が共通した標準時刻の関数を持って記憶されているので、乱丁の発生に応じて適宜、当該携帯型メモリで検査情報を取り出し、乱丁の原因となった折り丁を短時間で特定するなどの誤検知の要因分析をすることができるので、コストパフォーマンスと検査効率に優れた乱丁検査システムを提供することができる。
【００１０】
また本発明は、前記乱丁検査装置が、前記被検査画像を前記検査情報記憶手段に記憶すべきか否かを決定する記憶保持決定手段、前記被検査画像と基準画像の相関値を検出する相関値検出手段、及び検出された相関値が所定数に区分された相関値の如何なる区分に属するかを判定する相関値区分判定手段を更に有し、前記相関値区分判定手段による判定結果に基づいて前記記憶保持決定手段が前記被検査画像の記憶保持を決定することを特徴とする乱丁検査システムとして構成される。
このように構成したことにより、当該検査情報とりわけ被検査画像を相関値に基づいて保存記憶することとなるので、当該携帯型メモリの記憶容量を有効に活用することができるとともに、乱丁の原因となった折り丁を短期間に特定することができる。
【００１１】
また本発明は、前記乱丁検査装置が、前記相関値検出手段にて検出された、所定数の被検査画像と基準画像との相関値をサンプルとし、当該サンプル中でコンプリート判定ライン以下の区分であると相関値区分判定手段にて判定された被検査折り丁の総数を演算し、当該被検査折り丁の総数を前記サンプル数にて除した値を相関不安定度として求め、当該相関不安定度の大小に応じて、前記コンプリート判定ラインとして設定されている相関値を変更して新たなコンプリート判定ラインを設定し、当該コンプリート判定ライン以上の相関値区分であると判定された被検査画像については記憶保持決定手段により記憶保存しないと決定することを特徴とする乱丁検査システムとして構成される。
このように構成したことにより、コンプリート判定ラインを常時見直すこととなるので、当該携帯型メモリの記憶容量を、更に有効に活用することができる。
【００１２】
また本発明は、前記相関値区分判定手段が、コンプリート判定ライン以上の相関値範囲であるコンプリート判定範囲、合否判定ライン以下の相関値範囲である不合格判定範囲、及び前記コンプリート判定ラインと合否判定ラインの間の相関値範囲である境界判定範囲の３区分を判定可能としたことを特徴とする乱丁検査システムとして構成される。
このように構成したことにより、境界判定範囲を更に区分けすることができるので、判定ランクにしたがったチェックに際し、その作業負担をより軽減することができる。
【００１３】
また本発明は、前記相関値区分判定手段が、境界判定範囲をさらに複数に分割区分した範囲を判定可能である乱丁検査システムとして構成される。
このように構成したことにより、分割区分される判定範囲を折り丁の状況に応じて最適に設定できるので、当該携帯型メモリの記憶容量を、一層有効に活用することができるとともに、チェック作業負担を更に軽減することができる。
【００１４】
また本発明は、前記検査情報管理装置が、前記携帯型メモリに初期化情報としてぞれぞれの丁合装置に固有の識別情報を書き込む、初期化情報書込手段を有しており、前記乱丁検査装置は、前記携帯型メモリに書き込まれた前記識別情報を照合する照合手段を有し、前記照合手段の照合結果により前記検査情報を記憶するか否かを決定することを特徴とする乱丁検査システムとして構成される。
このように構成したことにより、初期化していない未登録の携帯メモリに対する検査情報の書込が防止されるので、製本作業時の機密情報が外部に持ち出されることを防止することができる。
【００１５】
また本発明は、前記検査情報記憶手段が、前記検査情報として、前記標準時刻に基づく検査日時、ロットナンバー、丁合駒ナンバー、及び丁合装置ラインナンバー等の前記丁合装置の稼働情報を記憶することを特徴とする乱丁検査システムとして構成される。
このように構成したことにより、各丁合駒での正確な稼働情報が特定できるので、丁合装置における誤動作の要因となる機械的特性の変化を正確に分析することができ、当該丁合装置の調整を比較的容易に行うことができる。
【発明の効果】
【００１６】
本発明は、このように構成したことにより、コストパフォーマンスに優れ、且つ乱丁の原因となった折り丁を短時間で特定することができるなどの検査効率に優れた乱丁検査システムを提供することができる。  
【図面の簡単な説明】
【００１７】
【図１】丁合装置における乱丁検査装置の配置図。
【図２】乱丁検査装置とライン制御ユニットのブロック図。
【図３】乱丁検査装置における駒制御手段のブロック図。
【図４】稼働情報として記憶される項目例を示す図。
【図５】乱丁検査システムの全体図。
【図６】被検査画像と基準画像と判定ライン、判定範囲と相関値の例を示す図。
【図７】判定結果の表示画面例１
【図８】判定結果の表示画面例２
【図９】判定結果の表示画面例３
【図１０】検査情報の保存フロー図。
【図１１】携帯型メモリの初期化・登録処理フロー図。
【図１２】乱丁検査装置での携帯型メモリ照合フロー図。
【発明を実施するための形態】
【００１８】
図１〜１２は、いずれも本発明の実施の形態に係る説明図である。
丁合装置１０は、図１に示すように、水平方向に延びた回転軸１３、当該回転軸１３を回転駆動する駆動部１６、折り丁載台１２上に配設された複数の折り丁収納手段１１、当該折り丁収納手段１１に対応して当該回転軸１３に配設された複数のドラム１４、及び搬送ライン１７とから構成されており、回転軸１３が回転駆動されると、各丁合駒の折り丁載台１２に配設された折り丁収納手段１１から折り丁がドラム１４の爪にて１部ずつ引き出されて搬送ライン１７に落下する。  
落下した折り丁は、搬送されるに従い各丁合駒から順に上積みされて、丁合装置１０終端において当該複数の折り丁全てがページ順に積層された状態となる。
【００１９】
各丁合駒に配置された乱丁検査装置２０−１〜２０−ｎは、折り丁を撮像するＣＣＤカメラなどの撮像手段２１と検査側制御部２２を、それぞれ有している。    
該検査側制御部２２は、図２に示すように、丁合装置１０に設置されたスターター１５からのスタート信号３１を受け、ドラム１４の１回転毎にカウントアップするカウンター２２ａ、各乱丁検査装置２０における検査情報を記憶する検査情報記憶手段２２ｂ、丁合装置１０やその各丁合駒に固有な機器識別情報を特定コード情報としてＥＥＰＲＯＭなどに予め書込記憶した機器情報記憶手段２２ｃ、各丁合駒の乱丁検査装置２０−１〜ｎをそれぞれ直接制御する駒制御手段２２ｄからなっている。
また、検査情報記憶手段２２ｂは、ＣＦメモリカード等の携帯型メモリ２２ｂ―１、及び該携帯型メモリ２２ｂ−１がこの乱丁検査システムに使用することができる適正なものであるか否かを識別する照合手段２２ｂ−２を有している。
【００２０】
さらに本システムでは、ネットワーク（Ｉ／Ｏ）を介して全ての乱丁検査装置２０―１〜ｎを共通に制御するユニットとして、各検査側制御部２２とは別個に、ライン制御ユニット３０が設けられている。
該ライン制御ユニット３０は、各丁合駒に共通する標準時刻を供給する標準時刻供給手段３０ｂ、検査側制御部２２への制御情報等を入力する入力操作手段３０ｄ、該入力操作手段３０ｄによる入力操作や各乱丁検査装置２０の稼働状態等を表示する表示手段３０ｃ、スターター１５からのスタート信号３１とエンコーダー３２からのパルス信号等を受けてライン制御ユニット３０を制御するメイン制御手段３０ａを有している。
スターター１５は、ドラム１４の一回転毎にスタート信号３１を発生させるものであり、各検査側制御部２２におけるカウンター２２ａは、メイン制御手段３０ａを通して供給される該スタート信号３１をカウントアップする。したがって、このカウンター２２ａのカウント数により、各丁合駒における折り丁の特定が可能となる。
エンコーダー３２はドラム１４の回転に同期してパルス信号を発生するものであり、該パルス信号により、折り丁収納手段１１に対するドラム１４上に設けられた爪の基準位置（回転角度位置）が設定される。
【００２１】
各乱丁検査装置２０における検査結果は、検査判定結果（ＯＫ、又はＮＧ）、測定相関値、測定濃度値、測定濃度偏差値、検査カウント、検査日時、被検査画像付帯情報（被検査画像が添付されているか否か）等が検査情報として検査情報記憶手段２２ｂ内の携帯型メモリ２２ｂ−１に記憶されるが、該検査情報に対応させた被検査画像も併せて記憶される。
しかしながら、本発明においては、このように携帯型メモリ２２ｂ−１が用いられることから、記憶容量の最大値には限界がある。一方、被検査画像を記憶するには比較的大きな記憶容量を必要とする。
そのため、本発明では、各検査側制御部２２における駒制御手段２２ｄが、図３に示すように、被検査画像と基準画像との相関値を検出する相関値検出手段２２ｄ−１、検出された該相関値が所定数に区分された相関値の如何なる区分に相当するかを判定する相関値区分判定手段２２ｄ−２、及び被検査画像を前記検査情報記憶手段に記憶すべきか否かを決定する記憶保持決定手段２２ｄ−３を有しており、これら手段によって、基準画像との相関値が所定の相関値以下となる被検査画像が選択され、選択された被検査画像のみが検査情報記憶手段２２ｂの携帯型メモリ２２ｂ―１に検査情報として保存記憶される。
このように、本発明では、後の乱丁要因分析に使用しうる被検査画像のみを記憶することとする。
【００２２】
駒制御手段２２ｄは、さらに稼働情報作成手段２２ｄ−４を有しており、該稼働情報作成手段２２ｄ−４により、カウンター２２ａからのカウント情報、機器情報記憶手段２２ｃからの丁合駒特定情報、及びライン制御ユニット３０側からの標準時刻等に基づいて稼働情報が作成される。
該稼働情報は、検査情報に関連づけられて当該被検査画像と共に携帯型メモリ２２ｂ―１に保存記憶される。
稼働情報として記憶する項目例を図４に示す。
該稼働情報のうち、判定結果、検査カウンタ値、被検査画像特定情報等の検査時に特定される項目以外の情報、例えば、丁合機ラインナンバーや丁合駒ナンバー等の機器情報は、ライン制御ユニット３０の入力操作部３０ｄを操作して、対応する乱丁検査装置２０−１〜２０−ｎのそれぞれの機器情報記憶手段２２ｃに記憶させておき、それらが携帯型メモリ２２ｂ−１への検査情報の書込時に適宜読み出されて使用される。
また該稼働情報のうち検査日時は、タイムサーバー３０ｂ―１や電波時計３０ｂ−２等の標準時刻供給手段からの時刻信号が、同様にライン制御ユニット３０を通じて各乱丁検査装置２０−１〜ｎに共通して供給されるので、その信号を用いて作成される。したがって、各携帯型メモリ２２ｂ−１に保存記憶される稼働情報は、全て同一の標準時刻が用いられて作成されることとなる。
【００２３】
さらに、本発明の乱丁検査システムは、図５に示すように、各丁合駒に設けられる乱丁検査装置２０−１〜ｎがライン制御ユニット３０とネットワークを介してオンラインで接続されている一方、これらとはオフラインとなる検査情報管理装置４０が別途、設けられている。
該検査情報管理装置４０は、乱丁検査装置２０−１〜ｎに用いられる携帯型メモリの読取手段４１、管理情報の表示手段４２、管理情報の入力操作手段４３、携帯型メモリ２２ｂ−１の初期化情報の書込手段４４、及び種々の管理情報を記憶する管理情報記憶手段４５を有している。
【００２４】
このように構成された本発明における乱丁検査システムは、概略以下のように動作する。
各乱丁検査装置２０―１〜ｎの検査側制御部２２が、共通するライン制御ユニット３０を通じてスターター１５からのスタート信号３１、標準時刻供給手段３０ｂからの標準時刻情報等の制御情報を検出すると、各駒制御手段２２ｄは、撮像手段２１を制御して引き出された折り丁を撮像し、当該撮像した被検査画像と基準画像との一致度（相関値）を相関値検出手段２２ｄ−１により検出する。
次に、該検出した相関値に基づいて相関値区分判定手段２２ｄ−２により区分判定し、さらにその区分判定に基づいて記憶保持決定手段２２ｄ−３により、被検査画像を検査情報として記憶保存するか否かが決定される。
乱丁判定結果の検査情報及びそれに関連付けられた稼働情報は、該記憶保持決定手段２２ｄ−３の決定により選択された被検査画像とともに、検査情報記憶手段２２ｂの携帯型メモリ２２ｂ−１に記憶保存される。
つづいて、乱丁原因等を分析する必要が生じた場合、該検査情報が保存記憶された携帯型メモリ２２ｂ−１は、乱丁検査装置２０―１〜ｎから取り出されて、前記各乱丁検査装置２０−１〜ｎとはオフラインで設けられている検査情報管理装置４０の読取手段４１に供給され、該読取手段４１によって検査情報が読み出されて乱丁原因分析等に供される。
該乱丁原因分析結果や携帯型メモリ２２ｂ−１から読み出された検査情報自体は、該検査情報管理装置４０内の管理情報記憶手段４５に丁合管理データベースとして記憶され、丁合装置１０の長期的な乱丁原因分析等に用いられる。
【００２５】
このような携帯型メモリ２２ｂ−１への検査情報の書込動作について、図１０に示す動作フロー図で説明する。
スターター１５からのスタート信号３１を乱丁検査装置２０が受けると乱丁検査が開始される。Ｓ１
撮像手段２１からの被検査画像は、当該丁合駒に載置される折り丁の頁画像を適正画像として予め設定された標準画像と比較されて、相関値検出手段２２ｄ−１により相関値が算出される。Ｓ２
算出された当該相関値は、後述する相関値区分判定手段２２ｄ−２により区分分けされ（Ｓ３）、相関値が低い区分とされた被検査画像は、記憶保持決定手段２２ｄ−３により、被検査画像を検査情報として記憶保存するか否かが決定される。Ｓ４
データ保存判定（Ｓ４）により、被検査画像を保存する必要があるとされた場合（Ｙ）、被検査画像は携帯型メモリ２ｂ−１（ＣＦメモリ）に書き込まれ（Ｓ５）、続いて検査値が書き込まれる。Ｓ６
データ保存判定（Ｓ４）により、被検査画像を保存する必要がないとされた場合（Ｎ）、検査値のみが書き込まれる。Ｓ６
【００２６】
上記した被検査画像は、丁合装置における頁画面を撮像したものであるので、ユーザーの機密情報が含まれている。また、この被検査画像を記憶する携帯型メモリ２２ｂ−１は、容易に外部に持ち出すことが可能である。
このため、本乱丁検査システムでは、該機密情報に対するセキュリティーを確保するため、検査情報管理装置４０側には、携帯型メモリ２２ｂ−１にアクセスするための専用アプリケーションと、携帯型メモリ２２ｂ−１を初期化するための初期化情報書込手段４４とが設けられており、乱丁検査装置側には、携帯型メモリ２２ｂ−１を初期化する際に書き込まれた識別情報を照合する識別情報照合手段２２ｂ−２が設けられている。
【００２７】
携帯型メモリ２２ｂ−１の使用に際し、先ず検査情報管理装置４０の初期化情報書込手段４４により、それぞれの丁合駒に特有の識別情報が書き込まれて初期化される。
検査情報管理装置４０側でのこのような初期化・登録処理について、図１１に示す動作フロー図で説明する。
携帯型メモリ（ＣＦ）２２ｂ−１を検査情報管理装置４０の携帯型メモリ読取手段４１に挿入する。Ｓ１１
該ＣＦを初期化する場合には（Ｙ）、入力操作手段４３により該当する丁合駒を指定すると、該丁合駒に特有の機器情報が該ＣＦに識別情報として書き込まれ（Ｓ１２）、さらに当該ＣＦが発行されたことが管理情報記憶手段４５に登録される（Ｓ１３）。
該ＣＦを初期化する必要がない場合には（Ｎ）、当該ＣＦに書き込まれている機器情報を読み込み（Ｓ１４）、管理情報記憶手段によって記憶された発行登録の登録情報との認証を行い（Ｓ１５）、認証に成功すると（Ｙ）、該ＣＦに書き込まれている検査情報をリレーショナル・データベース（ＲＤＢ）として登録処理する（Ｓ１６）。
該ＲＤＢは、検索処理（Ｓ１７）や閲覧処理（Ｓ１８）に供される。
【００２８】
このように初期化された携帯型メモリ２２ｂ−１は、乱丁検査装置２０の検査情報記憶手段２２ｂに挿入され、識別情報照合手段２２ｂ−２によって、挿入された携帯型メモリ２２ｂ−１が各丁合駒に適合した機器情報（識別情報）を有しているか否かが判定される。
判定の結果、適合する識別情報を有していない場合には、当該携帯型メモリ２２ｂ−１に対する検査情報の書込が禁止される。
携帯型メモリ２２ｂ−１の乱丁検査装置２０側でのこのような照合処理について、図１２に示す動作フロー図で説明する。
当該携帯型メモリ２２ｂ−１を乱丁検査装置２０の携帯型メモリ読取スロットに挿入すると、該識別情報照合手段２２ｂ−２は、該携帯型メモリ２２ｂ−１内の機器情報を読取り（Ｓ２０）、機器情報記憶手段２２ｃに設定保存されている各乱丁検査装置の固有の識別情報と照合する（Ｓ２１）。
その照合の結果、該携帯型メモリ２２ｂ−１内の機器情報が乱丁検査装置内の識別情報と同一であれば（Ｙ）、携帯型メモリの記憶容量登録がなされ（Ｓ２２）、続いて携帯型メモリ利用可能表示がなされる（Ｓ２３）が、同一でなければ（Ｎ）利用不可表示がなされる（Ｓ２４）。
なお、このような利用可能あるいは利用不可表示は、ライン制御ユニット３０の表示手段３０ｃを用いて行うことができるが、各乱丁検査装置２０−１〜ｎにそれぞれ表示手段を設け、それらを用いても良い。
【００２９】
前述したように、各検査側制御部２２における駒制御手段２２ｄは、相関値検出手段２２ｄ−１及び相関値区分判定手段２２ｄ−２を有しており、これら手段によって行われる被検査画像の相関値の区分例を図６に示す。  
図６において、縦軸は被検査画像と基準画像（正常な丁合がなされる場合の被検査画像）との相関値を示している。ラインＤは合否判定ラインを示し、相関値０．７５以下のときは不合格判定とする。
また、ラインＡ〜Ｃはコンプリート判定ラインを示し、当該各コンプリート判定ラインは、相関値を０．９０、０．９２５、０．８７５とした場合を示す。
当該コンプリート判定ライン以上と区分された相関値範囲は、判定結果が覆る可能性が一般的にないとされる判定、要するに、後日、乱丁の存在が判明したときに行う乱丁の原因究明に際して、当該究明対象画像から除外可能な相関値範囲で、コンプリート判定とされる領域である。  
また、相関値がコンプリート判定ライン以下かつ合否判定ライン以上と区分された相関値範囲は、合否判定においては合格ではあるが、後日、乱丁の存在が判明した際、乱丁原因究明の対象となり得る領域で、境界判定範囲と判定される領域である。
さらに、合否判定ライン（ラインＤ）以下の区分とされた相関値範囲は、そのまま製本の次工程に流せない領域で、不合格判定と判定される領域である。
【００３０】
境界判定範囲ついてさらに詳述する。
該境界判定範囲は、相関値の比較的高い範囲と、比較的に低い範囲に２区分されている。
当該境界判定範囲は、上記のように合否判定ラインとコンプリート判定ラインとの間の相関値範囲であり、また合否判定ラインを不変としているから、コンプリート判定ラインの変化に応じて影響を受ける範囲のものである。
すなわち、コンプリート判定ラインがラインＡ（相関値０．９０）のときは、当該境界判定範囲βの相関値範囲は、０．７５≦β＜０．９０となるから、相関値の比較的高い範囲β１（０．８７５≦β１＜０．９０）、と相関値の比較的低い範囲β２（０．７５≦β２＜０．８７５）に２区分されて、境界判定β１、及び境界判定β２と判定する。
また、コンプリート判定ラインがラインＢ（相関値０．９２５）、あるいはラインＣ（相関値０．８７５）の境界判定範囲γ及びδについても同様、相関値の比較的高い範囲（０．９０≦γ１＜０．９２５、０．８５０≦δ１＜０．８７５）、及び比較的低い範囲（０．７５≦γ２＜０．９０、０．７５≦δ２＜０．８５０）に２区分されて、境界判定γ１、γ２，δ１、δ２と判定する。
【００３１】
次に被検査画像の記憶保存決定手段２２ｄ−３について説明する。
一般的に一致不一致の判定手法として相関値から判定する手法は周知の判定手法であり、当該技術分野では、一般的に、相関値０．７５以上を合格判定とし、相関値０．９０以上においては当該判定が覆る可能性のない判定範囲ということは良く知られている。また、当該相関値は、折り丁の紙厚、折り位置の相違等により変動することもまた良く知られている。
そこで、本発明は、合格判定が一般的に覆る可能性のない判定、すなわち、前記コンプリート判定のときは、後日、乱丁の原因究明に際して、当該判定の被検査画像の記憶は保存しておく必要がないとの知見、及びコンプリート判定ラインとして設定した相関値も、紙厚等の影響により変動するとの知見に基づき、コンプリート判定ラインを次のように設定する。
前記良く知られている相関値０．９０をコンプリート判定ラインＡ、相関値０．７５を不合格判定ラインＤとして、丁合作業の初期ロットにおいて行う乱丁検査に際して、その内の所定数、例えば１０００回をサンプリングする。
当該サンプルの内、相関値がコンプリート判定ライン以下となった被検査折り丁の総数を、総サンプリング数、すなわち１０００回で除した値を相関不安定度αとして求め、相関不安定度の範囲（１．０〜０．０）を複数の範囲に区分し、相関不安定度αが、０．５０＜α＜０．７０場合は、前記コンプリート判定ラインを不変とし、すなわち、コンプリート判定ラインＡとし、相関不安定度αが、α≦０．５０の場合は、前記コンプリート判定ラインの相関値を０．８７５に変更、すなわちコンプリート判定ラインＣとし、相関不安定度αが、α≧０．７０の場合は、前記コンプリート判定ラインの相関値を０．９２５に変更、すなわちコンプリート判定ラインＢにする。
【００３２】
このように、コンプリート判定ライン以下と判定した被検査画像のみを記憶保存決定することとするが、更に相関不安定度に基づいてコンプリート判定の相関値範囲を変化させることができるので、記憶容量に制限のある携帯型メモリ２２ｂ−１に保存する被検査画像は、逐次、必要最小限で済むこととなる。
【００３３】
該検査情報管理装置４０の表示手段４２における判定結果の表示例を図７に示す。
表示手段４２による表示画面は、丁合駒毎に短冊状の表示欄を有し、その表示欄には、上から、丁合駒ナンバー表示部、不合格総数棒グラフ表示部、不合格総数表示部、ネットワーク障害等のシステム故障表示部、検査ユニット体表示部が順に設定されている。
ここで検査ユニット体とは、所定数の被検査折り丁を１単位、例えば１０の被検査折り丁を１検査単位として、当該１検査単位毎に１の検査ユニット体が形成されるものであり、その検査ユニット体の判定結果を表示する該検査ユニット体表示部は、１検査単位が終了する都度順次積層表示されるとともに、前記判定に応じて色分け表示される。
その色分けは、乱丁検査された１検査単位、例えば、前記のように１０の被検査折り丁を１検査単位とした場合、当該１０の被検査折り丁の判定の内、最低の判定に対応した色で表示される。
したがって、１検査単位中に１つでも不合格判定が存在するときは、当該検査ユニット体は赤色（Ｒ）表示され、同様に１つでも境界判定β１、γ１、δ１の判定が存在するときは、検査ユニット体がグレー（Ｇ）に着色表示され、同様に境界判定β２，γ２，δ２の判定が存在するときは当該検査ユニット体がイエロー（Ｙ）に着色表示される。
また、乱丁検査された１検査単位、例えば、１０の被検査折り丁の判定全てがコンプリート判定の場合は、検査ユニット体は白色（Ｗ）に着色表示される。
【００３４】
図７に示す検査ユニット体表示画面における１の検査ユニット体表示を入力操作手段４３により選択すると、図８に示すように、当該検査ユニット体に含まれる所定数の被検査折り丁の稼働情報が一覧で表示される。
この一覧表示画面は、画面の横方向表示欄に、左から順に、検査日時表示部、検査時刻表示部、ロットナンバー、カウンター番号表示部、着色表示された判定結果表示部等、被検査折り丁毎に稼働情報が表示されるように構成されている。
当該表示は、稼働情報の内の適宜の情報のみを表示するように構成しても良い。
【００３５】
図８に示す一覧表示画面における１の折り丁の稼働情報を選択すると、図９に示すように、画面上半分に、図７における検査ユニット体表示画面が表示され、下半分には該一覧表示画面にて選択された被検査折り丁の被検査画像、稼働情報画面、及び当該検査ユニット体に含まれる他の被検査折り丁の被検査画像と稼働情報がサムネイル画面として表示される。  
また、このように表示された当該被検査画像には、判定に対応した色（赤、グレー、イエロー）に着色表示された判定結果、相関値が重畳表示される。
【００３６】
このような表示を用いて行われる乱丁原因の究明作業について説明する。
前記原因究明に際しては、丁合駒ナンバーは乱丁頁から特定できるので、該丁合駒を特定し、当該特定された丁合駒ナンバーに表示されている検査ユニット体の内、先ず不合格判定が含まれている赤色に着色された検査ユニット体を調査する。該赤色に着色された検査ユニット体には、比較的判定の信頼性の高いグレーに着色された境界判定（β１、γ１、δ１）と、比較的判定の信頼性の低い黄色に着色された境界判定（β２、γ２、δ２）とも含まれている可能性がある。
そこで、図７の検査ユニット体表示画面に表示されている、赤色検査ユニット体を選択し、次いで図８の検査ユニット一覧画面に表示されている信頼性の低いイエローに着色された判定結果を含む稼働情報を選択する作業を行う。
このように、信頼性が色分けして区分表示されているので、信頼性の低い稼働情報から順にチェックすることが容易に行え、また当該原因究明作業に際しては、チェックする被検査画像が少なくて済み、原因究明作業に掛かる負担が軽減する。  
【００３７】
以上の実施例によれば次の効果を有する。
オンラインで結ばれた大きな記憶容量を有するデータサーバを必要とせず、しかも全ての検査情報が共通した標準時刻の関数を持って記憶されているので、乱丁の発生に応じて、当該乱丁が発生した丁合駒の携帯型メモリ２２ｂ−１を取り出し、オフラインで設けられている検査情報管理装置４０によって乱丁の原因となった折り丁を特定するなどの乱丁要因分析を迅速に行うことができるので、システム全体としてコストパフォーマンスと検査効率に優れた乱丁検査システムを提供することができる。
【００３８】
また、当該検査情報とりわけ被検査画像を相関値に基づいて保存記憶することとなるので、当該携帯型メモリ２２ｂ−１の記憶容量を有効に活用することができるとともに、乱丁の原因となった折り丁を短期間に特定することが可能となる。
【００３９】
また、相関不安定度に応じて、コンプリート判定ラインが最適相関値に変更され、記憶保存される被検査画像の数が必要最小限となるので、当該画像を保存するメモリの節約効果、ひいてはコストダウン効果を有し、しかも、後日、存在が判明した乱丁の原因究明に際しては、チェック対象が少なくなり作業負担が軽減される効果を有する。
【００４０】
また、初期化していない未登録の携帯型メモリ２２ｂ−１への検査画像の書込が防止されるので、製本作業時の機密情報が外部に持ち出されることを防止することができ、セキュリティーに優れている。
【００４１】
また、各丁合駒での正確な稼働情報が特定できるので、丁合装置１０における誤動作の要因となる機械的特性の変化を長期的に分析することができ、当該丁合装置１０の調整を比較的容易に行うことができる。
【００４２】
また、境界判定範囲の相関値をさらに２区分に区分けして境界判定範囲を増やしたことにより、判定ランクが細分化されるので判定ランクに従ったチェックに際し、その作業負担がより軽減される効果を有する。  
【００４３】
さらに検査ユニット画面に、所定数の被検査折り丁を表示単位とし、当該表示単位を信頼性に応じて着色した検査ユニット体として表示したものであるから、被検査数が多くても１表示画面に表示でき、しかも、検査ユニット体が着色され、さらに、不合格総数の棒グラフも表示されているから、乱丁発生状態が一目で認識できる効果を有する。
【００４４】
上記の実施の形態では、本発明の合否判定ライン（Ｄ）の相関値を０．７５、コンプリート判定ライン（Ａ〜Ｃ）を３本、境界判定範囲（β１、γ１、δ１）の分割数２，分割範囲を０．５０，０．２５としたが、他の実施の形態として、これらについては、折り丁の紙厚、検査画像が文字か絵柄か、隣接する折り丁の相互相関の高低、濃度差があるか等、相関値検出に際しての変動要因を加味して、コンプリート判定ラインとして変更設定可能な数、その場合の各ライン間の相関値範囲、あるいは境界判定範囲の分割数及びその相関値範囲等について、適宜変更しても良い。
さらに、コンプリート判定ライン、合否判定ライン等の判定ラインの相関値の決定を、サンプルの統計的処理、例えば、標準偏差に基づいて行っても良い。
このようにすることにより、分割区分される判定範囲を、折り丁の状況に応じて最適に設定できる効果を奏する。
【００４５】
また、相関不安定度を演算するために用いるサンプリングの取得タイミングとして、丁合工程における乱丁検査実行時に、定期的、又は適宜のタイミングで行っても良い。
このように構成することにより、コンプリート判定ラインが、定期的又は適宜タイミングで最適相関値に変更されるので、被検査画像の記憶保持決定手段が常に最適な被検査画像のみを記憶保存する効果を奏する。
【００４６】
さらに、基準画面の設定に際しては、隣接する折り丁同士が類似している場合に両者取り違いが多く、乱丁の原因となっていることから、隣接配置される折り丁、例えば、折り丁１１−３と、折り丁１１−４相互間の基準画面の相関が高い場合は、当該折り丁１１−３と折り丁１１−２相互間の相関の度合いと、当該折り丁１１−４と折り丁１１−５相互間の相関の度合いとを比較し、当該相関の度合いの高い方の折り丁の基準画面（折り丁１１−３、または、折り丁１１−４）を、隣接折り丁の基準画面との相関を考慮して決定する。
このように構成することにより、隣接配設された類似の折り丁の置き間違いに基づく乱丁発生が抑止されるので、後日の乱丁究明に際して、その作業負担が軽減される。
【符号の説明】
【００４７】
１０    丁合装置
１１    折り丁収納手段
１２    折り丁載台
１３    回転軸
１４    ドラム
１５    スターター
１６    駆動部
１７    搬送ライン
２０―１〜ｎ    乱丁検査装置
２１    撮像手段
２２    検査側制御部
２２ａ  カウンター
２２ｂ  検査情報記憶手段
２２ｂ−１  携帯型メモリ
２２ｂ−２  識別情報照合手段
２２ｃ  機器情報記憶手段
２２ｄ  駒制御手段
２２ｄ−１  相関値検出手段
２２ｄ−２  相関値区分判定手段
２２ｄ−３  記憶保存決定手段
２２ｄ−４  稼働情報作成手段  
３０    ライン制御ユニット
３０ｂ  標準時刻供給手段
３０ｃ  表示手段
３０ｄ  入力操作手段
４０  検査情報管理装置
４１  携帯型メモリ読取手段
４４  初期化情報書込手段
４５  管理情報記憶手段
【図１】
2010188653.tif 000003
【図２】
2010188653.tif 000004
【図３】
2010188653.tif 000005
【図４】
2010188653.tif 000006
【図５】
2010188653.tif 000007
【図６】
2010188653.tif 000008
【図７】
2010188653.tif 000009
【図８】
2010188653.tif 000010
【図９】
2010188653.tif 000011
【図１０】
2010188653.tif 000012
【図１１】
2010188653.tif 000013
【図１２】
2010188653.tif 000014